(57)【要約】【課題】  不正な装置との交換の危険性が高まることを回避しつつ、交換装置が不足することによる売上低下の発生を回避すること。【解決手段】  移動元店舗の予備特定取引用装置３を他の店舗に移動させるときに、該予備特定取引用装置３の移動を可能とする当該移動元店舗が属するグループの他の店舗に設置されている店舗内管理装置１００に対して、各店舗内管理装置１００に接続された店舗外管理装置１４０から移動許可情報を送信し、店舗内管理装置１００は、該移動許可情報を受信しているときには、当該店舗に設置された特定取引用装置３から送信される装置識別情報が、管理している装置識別情報と一致しないときでも、特定取引用装置３から送信されるグループ識別情報が一致すれば当該特定取引用装置３における特定取引を許可する。【選択図】  図１３
2006247038.tif 000002
【特許請求の範囲】
【請求項１】
店舗に設けられ、特定取引に使用可能な特定取引用価値を該特定取引に使用させるための特定取引処理を行う装置であって、該装置を個々に識別可能な装置識別情報と当該店舗が属するグループを個々に識別可能なグループ識別情報とが記憶されるとともに、外部と通信可能に接続された特定取引用装置と、
該店舗に予備として設けられる前記特定取引用装置であって、外部と通信可能に接続された予備特定取引用装置と、
店舗に設置され、当該店舗に設けられた前記特定取引用装置および前記予備特定取引用装置の装置識別情報と、当該店舗が属するグループのグループ識別情報とを管理する識別情報管理手段と、該識別情報管理手段により装置識別情報が管理されている特定取引用装置および予備特定取引用装置との接続状態を認識する接続状態認識手段と、を有する店舗内管理装置と、
複数店舗の前記店舗内管理装置と通信可能とされ、前記グループ識別情報に対応付けて当該グループ識別情報のグループに属する店舗を個々に識別可能な店舗識別情報を管理するとともに、該店舗識別情報に対応付けて当該店舗識別情報の店舗に設けられている前記特定取引用装置および前記予備特定取引用装置の装置識別情報と該店舗に設けられている前記特定取引用装置における売上を管理する管理手段と、該管理手段により管理しているグループに属する一の店舗の予備特定取引用装置が該グループに属する他の店舗に移動されるときに、当該他の店舗の店舗内管理装置に対して移動許可情報を送信する移動許可情報送信手段とを有する店舗外管理装置と、
を備え、
前記店舗内管理装置は、前記移動許可情報送信手段から移動許可情報を受信していないときには、前記特定取引用装置から受信した装置識別情報が前記識別情報管理手段にて管理されていることを条件として前記特定取引処理を許可すると判定する一方、前記移動許可情報を受信しているときには、前記特定取引用装置から受信した装置識別情報が前記識別情報管理手段にて管理されていなくても、該特定取引用装置から受信したグループ識別情報が前記識別情報管理手段にて管理されていることを条件として前記特定取引処理を許可すると判定する判定手段と、該判定手段により前記特定取引処理を許可すると判定されたことに基づいて当該判定の対象となった特定取引用装置に対して取引許可情報を送信する取引許可情報送信手段とを有し、
前記特定取引用装置は、前記取引許可情報を受信したことを条件として前記特定取引処理を行い、
前記一の店舗の店舗内管理装置は、前記識別情報管理手段にて管理されている装置識別情報のうち、前記接続状態認識手段により接続が認識されなくなった予備特定取引用装置の装置識別情報を特定し、該特定した装置識別情報を含む移動元情報を前記店舗外管理装置に送信する移動元情報送信手段を有し、
前記他の店舗の店舗内管理装置は、前記接続状態認識手段により接続が認識された特定取引用装置の装置識別情報のうち、前記識別情報管理手段にて管理されていない装置識別情報を特定して、該特定した装置識別情報を含む移動先情報を前記店舗外管理装置に送信する移動先情報送信手段を有し、
前記店舗外管理装置は、前記移動元情報と前記移動先情報とに含まれる装置識別情報が一致するか否かを確認する確認手段を有することを特徴とする特定取引用システム。
【請求項２】
前記店舗外管理装置は、前記管理手段において、前記移動元情報または前記移動先情報に含まれる装置識別情報に対応する店舗識別情報を、前記他の店舗の店舗識別情報に変更することを特徴とする請求項１に記載の特定取引用システム。
【請求項３】
前記一の店舗の店舗内管理装置は、前記予備特定取引用装置が移動される旨と当該店舗の店舗識別情報とを含む移動発生通知を前記店舗外管理装置に送信し、
前記店舗外管理装置は、前記管理手段において、送信されてきた前記移動発生通知に含まれる店舗識別情報とともに、該店舗識別情報が対応するグループ識別情報に対応付けて管理されているその他の店舗識別情報の店舗に設置されている店舗内管理装置に対して前記移動許可情報を送信することを特徴とする請求項１または２に記載の特定取引用システム。
【請求項４】
前記店舗外管理装置は、各グループに属する店舗の少なくとも追加を受付ける追加受付け手段と、該追加受付け手段にて追加された店舗の前記店舗内管理装置に対して、該追加された店舗が属するグループのグループ識別情報を含む更新情報を送信する更新情報送信手段とを有するとともに、前記管理手段において該追加された店舗が属するグループのグループ識別情報に対応付けて該追加された店舗の店舗識別情報を管理し、
前記店舗内管理装置は、受信した前記更新情報に含まれるグループ識別情報を含む更新要求を当該店舗に設置されている各特定取引用装置並びに各予備特定取引用装置に送信して、各特定取引用装置並びに各予備特定取引用装置に記憶されているグループ識別情報を、該更新要求に含まれるグループ識別情報に更新させる更新情報送信手段を有するとともに、前記識別情報管理手段にて管理しているグループ識別情報を受信した前記更新情報に含まれるグループ識別情報に更新することを特徴とする請求項１〜３のいずれかに記載の特定取引用システム。
【発明の詳細な説明】
【技術分野】
【０００１】
本発明は、特定取引に使用可能な特定取引用価値を該特定取引に使用させるための特定取引を行う特定取引用装置と、これら特定取引用装置の管理を行うために各店舗に設置された店舗内管理装置と、これら各店舗に設置された店舗内管理装置を集中管理するために店舗外に設置された店舗外管理装置とから成る特定取引用システムに関する。
【背景技術】
【０００２】
近年、店舗である遊技場においては、遊技機であるパチンコ機に対応して、特定取引となるパチンコ玉の貸出に使用可能な特定取引用価値となる残存度数および／または該残存度数を特定可能なカードＩＤ等が記録されたプリペイドカードや、該プリペイドカード機能を備える会員カードを受付けて、プリペイドカードや会員カードの残存度数を、特定取引となるパチンコ玉の貸出に使用させるための特定取引処理となるパチンコ玉の貸出に関する処理を実施するカードユニットが使用されている。
【０００３】
しかしながら、これらカードユニット対応のパチンコ機においては、これらカードユニットに不具合（故障）を生じると、パチンコ玉の貸出を受けられない結果、遊技者が遊技ができなくなり、遊技場に不利益を生じることから、これら不具合（故障）となったカードユニットを、遊技場内に設置された予備ストッカに保管されている予備のカードユニットと交換することが実施されている（例えば、特許文献１参照）。
【０００４】
【特許文献１】特開２００２−１８０８３号公報（第５頁、第７図）
【発明の開示】
【発明が解決しようとする課題】
【０００５】
しかしながら、特許文献１にあっては、不正なカードユニット３の使用を防止するために、店舗である遊技場内に設置された管理装置において管理されている、前記予備ストッカ内に保管されている予備のカードユニットのみに限って、交換して使用できるようにしているため、例えば、落雷の影響等により一度に多数のカードユニットが不具合（故障）となったときには、予備のカードユニットの数が足りず、不具合（故障）となった全てのカードユニットを交換することができず、未交換のパチンコ機においてはパチンコ玉の貸出を受けられない結果、遊技が不能となり、遊技場の売上低下を招くという問題があった。
【０００６】
一方、これら交換するカードユニットとして、無制限にどのカードユニットでも交換して使用できるようにしてしまうと、不正な改造等がなされたカードユニットと交換されてしまう危険性が非常に高くなってしまうという問題がある。
【０００７】
本発明は、このような問題点に着目してなされたもので、不正な改造等がなされた特定取引用装置と交換されてしまう危険性が高くなってしまうことを回避しつつ、不具合（故障）が発生した際に、特定取引用装置が交換できずに特定取引が不能となることで、店舗の売上低下を招くことを極力回避することのできる特定取引用システムを提供することを目的とする。
【課題を解決するための手段】
【０００８】
上記課題を解決するために、本発明の請求項１に記載の特定取引用システムは、
店舗に設けられ、特定取引に使用可能な特定取引用価値を該特定取引に使用させるための特定取引処理を行う装置であって、該装置を個々に識別可能な装置識別情報と当該店舗が属するグループを個々に識別可能なグループ識別情報とが記憶されるとともに、外部と通信可能に接続された特定取引用装置と、
該店舗に予備として設けられる前記特定取引用装置であって、外部と通信可能に接続された予備特定取引用装置と、
店舗に設置され、当該店舗に設けられた前記特定取引用装置および前記予備特定取引用装置の装置識別情報と、当該店舗が属するグループのグループ識別情報とを管理する識別情報管理手段と、該識別情報管理手段により装置識別情報が管理されている特定取引用装置および予備特定取引用装置との接続状態を認識する接続状態認識手段と、を有する店舗内管理装置と、
複数店舗の前記店舗内管理装置と通信可能とされ、前記グループ識別情報に対応付けて当該グループ識別情報のグループに属する店舗を個々に識別可能な店舗識別情報を管理するとともに、該店舗識別情報に対応付けて当該店舗識別情報の店舗に設けられている前記特定取引用装置および前記予備特定取引用装置の装置識別情報と該店舗に設けられている前記特定取引用装置における売上を管理する管理手段と、該管理手段により管理しているグループに属する一の店舗の予備特定取引用装置が該グループに属する他の店舗に移動されるときに、当該他の店舗の店舗内管理装置に対して移動許可情報を送信する移動許可情報送信手段とを有する店舗外管理装置と、
を備え、
前記店舗内管理装置は、前記移動許可情報送信手段から移動許可情報を受信していないときには、前記特定取引用装置から受信した装置識別情報が前記識別情報管理手段にて管理されていることを条件として前記特定取引処理を許可すると判定する一方、前記移動許可情報を受信しているときには、前記特定取引用装置から受信した装置識別情報が前記識別情報管理手段にて管理されていなくても、該特定取引用装置から受信したグループ識別情報が前記識別情報管理手段にて管理されていることを条件として前記特定取引処理を許可すると判定する判定手段と、該判定手段により前記特定取引処理を許可すると判定されたことに基づいて当該判定の対象となった特定取引用装置に対して取引許可情報を送信する取引許可情報送信手段とを有し、
前記特定取引用装置は、前記取引許可情報を受信したことを条件として前記特定取引処理を行い、
前記一の店舗の店舗内管理装置は、前記識別情報管理手段にて管理されている装置識別情報のうち、前記接続状態認識手段により接続が認識されなくなった予備特定取引用装置の装置識別情報を特定し、該特定した装置識別情報を含む移動元情報を前記店舗外管理装置に送信する移動元情報送信手段を有し、
前記他の店舗の店舗内管理装置は、前記接続状態認識手段により接続が認識された特定取引用装置の装置識別情報のうち、前記識別情報管理手段にて管理されていない装置識別情報を特定して、該特定した装置識別情報を含む移動先情報を前記店舗外管理装置に送信する移動先情報送信手段を有し、
前記店舗外管理装置は、前記移動元情報と前記移動先情報とに含まれる装置識別情報が一致するか否かを確認する確認手段を有することを特徴としている。
この特徴によれば、同一のグループ内の店舗間に限って予備特定取引用装置を移動し、該移動した予備特定取引用装置における特定取引処理が許可され、しかも、店舗外管理装置において、移動元情報と移動先情報とに含まれる装置識別情報が一致するか否かが確認されるので、不正な改造等がなされた特定取引用装置と交換されてしまう危険性が高くなってしまうことを極力回避しつつ、一度に多数の特定取引用装置が不具合（故障）となって交換の必要が生じても、交換できる予備特定取引用装置が不足して店舗の売上低下を招くことを極力回避することができる。
【０００９】
本発明の請求項２に記載の特定取引用システムは、請求項１に記載の特定取引用システムであって、
前記店舗外管理装置は、前記管理手段において、前記移動元情報または前記移動先情報に含まれる装置識別情報に対応する店舗識別情報を、前記他の店舗の店舗識別情報に変更することを特徴としている。
この特徴によれば、移動された予備特定取引用装置が対応する店舗識別情報を変更するために必要となる店舗外管理装置における操作の手間を省くことができる。
【００１０】
本発明の請求項３に記載の特定取引用システムは、請求項１または２に記載の特定取引用システムであって、
前記一の店舗の店舗内管理装置は、前記予備特定取引用装置が移動される旨と当該店舗の店舗識別情報とを含む移動発生通知を前記店舗外管理装置に送信し、
前記店舗外管理装置は、前記管理手段において、送信されてきた前記移動発生通知に含まれる店舗識別情報とともに、該店舗識別情報が対応するグループ識別情報に対応付けて管理されているその他の店舗識別情報の店舗に設置されている店舗内管理装置に対して前記移動許可情報を送信することを特徴としている。
この特徴によれば、予備特定取引用装置が移動されるグループに属する他の店舗の店舗内管理装置に対して移動許可情報を送信するために必要となる店舗外管理装置における操作の手間を省くことができる。
【００１１】
本発明の請求項４に記載の特定取引用システムは、請求項１〜３のいずれかに記載の特定取引用システムであって、
前記店舗外管理装置は、各グループに属する店舗の少なくとも追加を受付ける追加受付け手段と、該追加受付け手段にて追加された店舗の前記店舗内管理装置に対して、該追加された店舗が属するグループのグループ識別情報を含む更新情報を送信する更新情報送信手段とを有するとともに、前記管理手段において該追加された店舗が属するグループのグループ識別情報に対応付けて該追加された店舗の店舗識別情報を管理し、
前記店舗内管理装置は、受信した前記更新情報に含まれるグループ識別情報を含む更新要求を当該店舗に設置されている各特定取引用装置並びに各予備特定取引用装置に送信して、各特定取引用装置並びに各予備特定取引用装置に記憶されているグループ識別情報を、該更新要求に含まれるグループ識別情報に更新させる更新情報送信手段を有するとともに、前記識別情報管理手段にて管理しているグループ識別情報を受信した前記更新情報に含まれるグループ識別情報に更新することを特徴としている。
この特徴によれば、追加された店舗の店舗内管理装置に更新情報が送信されて、当該店舗内管理装置、各特定取引用装置並びに各予備特定取引用装置に記憶されているグループ識別情報が更新されるので、店舗外管理装置においてグループの変更を簡便且つ迅速に実施でき、追加された新たな店舗も簡便且つ迅速に予備特定取引用装置の移動の対象にできる。
【発明を実施するための最良の形態】
【００１２】
本発明の実施例を以下に説明する。尚、以下の実施例においては、店舗として遊技場を対象とした例を示すが、本発明はこれに限定されるものではなく、これら遊技場以外の店舗にも本発明を適用できることはいうまでもない。
【実施例】
【００１３】
本発明の実施例を図面に基づいて説明すると、先ず図1は、本発明の特定取引用システムとなる本実施例の遊技用システムの構成を示すものであり、本実施例の遊技用システムは、図１に示すように、遊技場において複数配置された遊技島１（図２参照）に並設される遊技機であるカードリーダ式パチンコ機（以下パチンコ機）２と、該パチンコ機２に対して１対１に対応設置され、プリペイドカード３７を使用可能とされた本発明における特定取引用装置としてのカードユニット３と、遊技場内の所定位置に設置され、前記カードユニット３が不良となった際に該不良のカードユニット３と交換するための予備特定取引用装置となる予備のカードユニット３が収納される予備ストッカ２０（図２参照）と、前記カードユニット３にて使用されるプリペイドカード３７の管理やカードユニット３の管理等を行う本発明における店舗内管理装置としてのシステムコントローラ１００と、これら各遊技場（遊技場ａ，ｂ，ｃ…）に設置されたシステムコントローラ１００とデータ通信可能に接続され、前記プリペイドカードを提供するカード管理会社に設置された本発明における店舗外管理装置となる管理サーバ１４０と、から主に構成されており、各遊技場に設置されているシステムコントローラ１００と管理サーバ１４０との間において、各種の情報（データ）の授受が可能とされている。
【００１４】
また、各遊技場に設置されているシステムコントローラ１００、遊技島１に設置されているカードユニット３、並びに予備ストッカ２０に収容されているカードユニット３は、通信ケーブル８を介して双方向のデータ通信可能に接続されていて、各接続機器にはそれぞれローカルＩＰアドレスが付与されてローカルエリアネットワーク（ＬＡＮ）が形成されており、該ローカルエリアネットワーク（ＬＡＮ）に接続されている各装置には、当該装置を個々に識別可能な装置ＩＤが付与されていて、各装置が装置ＩＤとローカルＩＰアドレスとが対応付けられたＩＰアドレステーブルを有することで、装置ＩＤからローカルＩＰアドレスを特定して、当該装置ＩＤの装置との送受信を実施できるようになっている。
【００１５】
つまり、本実施例においては、本発明における特定取引用装置となる遊技島１に設置されているカードユニット３とともに、予備特定取引用装置となる予備ストッカ２０内の予備のカードユニット３も、外部のシステムコントローラ１００と通信可能に接続されている。
【００１６】
はじめに、本実施例に用いた特定取引用装置並びに予備特定取引用装置となるカードユニット３について、図２並びに図３に基づき説明すると、該カードユニット３の前面には、図３（ａ）に示すように、点灯によりカードユニット３の動作を報知する動作ランプ３０１と、対応するパチンコ機２が左右何れかのパチンコ機２であるかを点灯により報知する台指定ランプ３０２と、プリペイドカード３７を挿入可能とされたカード挿入口３０３と、該カード挿入口３０３に挿入されているプリペイドカード３７の排出を遊技者に報知するカードインジケータ３０４と、が設けられているとともに、その背面下部には、図３（ｂ）に示すように、パチンコ機２と接続される信号ケーブルの接続端子を接続可能なパチンコ機接続用ソケット３０５と、前記システムコントローラ１００に接続される通信ケーブルの接続端子を接続可能な通信用ソケット３０６と、カードユニット３における電源入力用の電源入力用ソケット３０７とが設けられている。
【００１７】
また、カード挿入口３０３の内方となる、カードユニット３の略中央位置には、カード挿入口３０３から挿入されるプリペイドカードに記録された特定取引用価値の大きさを特定可能な情報となる残存度数や当該プリペイドカードのプリペイドカードＩＤを含む記録情報の読み出し、並びに書き込みを実施するカードリーダライタ３２７が設けられている。尚、本実施例では、特定取引用価値として１単位を１００円とする度数を用いている。
【００１８】
更に、パチンコ機接続用ソケット３０５や、通信用ソケット３０６や、電源入力用ソケット３０７に対応するカードユニット３の下部位置には、当該カードユニット３の動作制御やカードリーダライタ３２７に受付けたプリペイドカードから読み出した残存度数を、対応するパチンコ機２におけるパチンコ玉の貸出に使用させる貸出処理等を実施する制御ユニット３２８が設けられている。
【００１９】
この本実施例のカードユニット３の構成は、図４に示すように、前記動作ランプ３０１や、台指定ランプ３０２や、カードインジケータ３０４に加えて、前記台指定ランプ３０２の切替を実施するディップスイッチ３０８と、前記カード挿入口３０３に連設され、挿入されるプリペイドカード３７からの読み出し並びに書き込み等を行うカードリーダライタ３２７と、制御ユニット３２８が実行する制御内容等が記述された制御プログラムや、各カードユニット３に対して個別に付与され、個々のカードユニット３を識別可能な本発明における装置識別情報となる装置ＩＤや、当該カードユニット３が使用可能とされる遊技場が属するグループに対して個別に付与され、個々のグループを識別可能な本発明におけるグループ識別情報となるグループＩＤ等が記憶される不揮発性メモリから成る記憶部３１０と、前記パチンコ機接続用ソケット３０５に接続され、前記パチンコ機２において賞球や貸出球となるパチンコ玉の払出制御を行う賞球制御基板２３７や、貸出を実施する際に遊技者に操作される貸出ボタンスイッチ１６や、プリペイドカードの返却を実施する際に遊技者に操作される返却ボタンスイッチ１５や、残存度数が表示される度数表示器１７等を備える操作基板１８との各種信号の入出力が行われるＩ／Ｏポート３１１と、前記通信用ソケット３０６に接続され、システムコントローラ１００とのデータ通信を行うための通信手段である通信部３１２と、制御プログラムを実行するための制御マイコン（ＭＰＵ）や、プリペイドカード３７から読み出しおよび書き込まれる残存度数等が記憶されるＲＡＭ等を有し、これらカードユニット３の各部の制御や前記操作基板１８に実装された度数表示器１７の制御等を行う制御ユニット３２８と、を具備しており、これら各部は図５に示すように接続されている。
【００２０】
つまり、本実施例のカードユニット３は、特定取引処理となる貸出処理を行う装置であって、該装置を個々に識別可能な装置識別情報となる装置ＩＤと当該遊技場が属するグループを個々に識別可能なグループ識別情報となるグループＩＤとが記憶される記憶部３１０とともに、通信部３１２により外部のシステムコントローラ１００と通信可能に接続されており、該カードユニット３によって本発明における特定取引用装置が形成されている。
【００２１】
この本実施例のカードユニット３においては、前記カード挿入口３０３にプリペイドカード３７が挿入されることで、カードリーダライタ３２７により該挿入されたプリペイドカード３７に記録された残存度数並びにプリペイドカードＩＤが読み出され、該プリペイドカードＩＤと残存度数とを含む照合要求がシステムコントローラ１００に送信されることで、システムコントローラ１００において、後述するカード管理データベースにおいて当該プリペイドカードＩＤに対応付けて管理されている残存度数と、該照合要求に含まれる残存度数とが比較され、照合要求に含まれる残存度数が同じか或いは少ないときに、使用許諾が照合要求の送信元のカードユニット３に返信されることで、該残存度数が度数表示器１７に表示され、該表示された残存度数を遊技に使用できるようになる。
【００２２】
この度数表示器１７に残存度数が表示されているときに、遊技者が貸出ボタンスイッチ１６を操作することで、対応するパチンコ機２からパチンコ玉の払出が実施される貸出処理が実施される。
【００２３】
この貸出処理の制御状況を説明すると、まず前記パチンコ機２の賞球制御基板２３７は、該パチンコ機２の図示しない玉タンクに玉が供給されてパチンコ玉の払出が可能な状態となるとスタンバイ状態となり、準備が完了したことを示すＰＲＤＹ信号をＯＮとしてカードユニット３のＩ／Ｏポート３１１を介して制御ユニット３２８に出力する（Ｓ１）。
【００２４】
このようにＰＲＤＹが出力されている状態において前記貸出ボタンスイッチ１６が操作されると、カードユニット３の制御ユニット３２８は、ＢＲＤＹ信号をＯＮとして賞球制御基板２３７に出力し（Ｓ２）、この状態において、更にＢＲＱ信号をＯＮとして賞球制御基板２３７に出力する（Ｓ３）。
【００２５】
次いで、賞球制御基板２３７は、制御ユニット３２８より出力されているＢＲＤＹ信号のＯＮを検出している状態においてＢＲＱ信号のＯＮを検出すると、ＥＸＳ信号をＯＮとして制御ユニット３２８に出力する（Ｓ４）。
【００２６】
そして、該ＥＸＳ信号のＯＮを検出した制御ユニット３２８は、前記ＢＲＱ信号をＯＦＦとし、該ＢＲＱ信号のＯＦＦを検出した賞球制御基板２３７は、図示しない玉払出装置に玉払出信号を出力し、これに基づき１度数すなわち、１００円に該当する玉数（本実施例では２５玉）の払出が実施されるとともに、該払出の終了に基づき、前記ＥＸＳ信号の出力をＯＦＦとする（Ｓ５）。
【００２７】
該ＥＸＳ信号のＯＦＦを検出した制御ユニット３２８は、前記カードユニット３のカード挿入口３０３に挿入されているプリペイドカード３７より読み出されてＲＡＭに記憶している残存度数から１度を減算するとともに、度数表示器１７に表示されている度数から１度を減算して表示更新する（Ｓ６）。
【００２８】
制御ユニット３２８は、これら（Ｓ３）〜（Ｓ６）の制御を、１回の貸出ボタンスイッチ１６の操作に基づいて、予め設定されている単位貸出度数分繰返し実施し、これら制御が終了した後、ＢＲＤＹ信号をＯＦＦとして、貸出処理を完了する（Ｓ７）。
【００２９】
このようにカードユニット３の制御ユニット３２８から出力されるＢＲＱ信号の回数に基づき、前記賞球制御基板２３７は１度分に該当する数量（２５玉）のパチンコ玉の貸出を当該ＢＲＱ信号の回数分実施するようになっており、このようにして貸出されたパチンコ玉を使用して遊技者はパチンコ機２における遊技を実施できるようになっている。
【００３０】
つまり、本実施例の貸出処理において、特定取引となるパチンコ玉の貸出に使用可能な特定取引用価値となる度数を該パチンコ玉の貸出に使用させるために、対応するためのパチンコ機２との上記の各種信号の授受を行う処理が実施されており、該貸出処理によって本発明における特定取引処理が形成されている。
【００３１】
尚、これら貸出処理の実施後において、当該カードユニット３の制御ユニット３２８からは、システムコントローラ１００に対して、該貸出処理に使用された度数である使用度数とカードリーダライタ３２７に受付け中のプリペイドカード３７のプリペイドカードＩＤと装置ＩＤとを含む使用通知が送信されることで、システムコントローラ１００において、当該プリペイドカードＩＤに対応付けてカード管理データベースにおいて管理されている残存度数から使用度数が減算更新されるとともに、該装置ＩＤに対応して後述するユニット管理テーブルに記憶されている本日総使用度数に、該使用度数が加算更新される。
【００３２】
また、本実施例のカードユニット３においては、度数表示器１７に残存度数が存在する場合に返却ボタンスイッチ１５が遊技者により操作されることで、制御ユニット３２８のＲＡＭに記憶されているその時点にて残存する残存度数を、その時点においてカードリーダライタ３２７に受付け中のプリペイドカード３７の残存金額に上書き更新して、カード挿入口３０３より排出する返却処理が制御ユニット３２８により実施される。
【００３３】
次に、本実施例に用いた予備のカードユニット３（予備特定取引用装置）を保管するための予備ストッカ２０ついて説明すると、該予備ストッカ２０は、例えば、図２に示すように、遊技島１の島端近傍に設置され、前面が開放する筐体２１内の上下に予備のカードユニット３を複数収容可能なカードユニット収容部２２が形成されている。
【００３４】
また、筐体２１の前面には、開閉可能な開閉扉２３が設けられているとともに、該開閉扉２３はシリンダ錠２４を有していて開放不能に施錠できるようになっている。また、該開閉扉２３の所定箇所には透明なガラスが装着された確認窓部２５が形成されており、前記開閉扉２３の閉塞時においても、外部から収容されている予備のカードユニット３の動作ランプ３０１の点灯状況を目視確認できるようになっている。尚、筐体２１の上部には開閉扉２３の開放時において点灯される報知灯２６が設置されている。
【００３５】
これら筐体２１内に形成されたカードユニット収容部２２の上面並びに底面部には、前記開放面側から奥方にかけて複数のガイドレール２７が、前記カードユニット３の厚みより若干大きな距離に離間して形成されており、一対のガイドレール２７間にカードユニット３の上部と下部とがスライド挿入可能とされている。
【００３６】
また、前記カードユニット収容部２２の背面部には、図４に示すように、前記ガイドレール２７間に嵌入されるカードユニット３の通信用ソケット３０６並びに電源入力用ソケット３０７と対応する位置に、これら通信用ソケット３０６並びに電源入力用ソケット３０７と接続可能な通信端子２９及び電源供給端子３０が設けられており、予備のカードユニット３を前記ガイドレール２７間にスライド挿入して前記通信用ソケット３０６に通信端子２９を装着した後、該予備のカードユニット３をストッカ内部に押し込んで収納することで、電源入力用ソケット３０７が電源供給端子３０に自動的に装着・接続されることで、収容中の予備のカードユニット３が即座に使用可能なスタンバイ状態とされており、前記遊技島１に設置された稼働中のカードユニット３にトラブルが発生した場合には、収容されているスタンバイ状態の予備のカードユニット３と交換することでこれらトラブルに対して迅速に対応できるようになっている。
【００３７】
次いで、本実施例に用いた本発明における店舗内管理装置となるシステムコントローラ１００について説明すると、該システムコントローラ１００は、図６に示すように、コンピュータ内部にてデータの送受を行うデータバス１０１に、該システムコントローラ１００が実施する後述する更新要求の送信処理や、起動許可或いは起動不可を送信する後述する起動許可判定処理や、移動発生通知や移動元情報或いは移動先情報の送信処理等の各種処理や前記残存度数の照合やカード管理ＤＢの更新処理等を行うＣＰＵ１０２、ワークメモリ等として使用されるＲＡＭ１０３、時刻情報やカレンダ情報を出力するＲＴＣ１０４、磁気ディスクや光磁気ディスクから成る記憶装置１０５、ファンクションメニュー等が独自に割り当てられた専用化されたキーボードである入力装置１０６、各種情報を表示出力する表示装置１０７、各種情報をプリント出力するプリンタ１０８、カードユニット３（予備ストッカ２０内のカードユニット３も含む）とのデータ通信を行う通信部１０９、カード管理会社に設けられた管理サーバ１４０とのデータ通信を行うためのデジタルサービスユニット（ＤＳＵ）１１１が接続された通常のコンピュータである。
【００３８】
また、前記記憶装置１０５には、該システムコントローラ１００が実施する各種の処理を実施するための処理プログラムに加えて、当該遊技場において発行されるプリペイドカードのプリペイドカードＩＤに対応付けて、当該プリペイドカードに記録されている残存度数が記憶されるカード管理ＤＢや、図７（ａ）に示すように、当該遊技場の遊技場ＩＤや、当該遊技場が所属するグループのグループＩＤや、当該遊技場に設置されているカードユニット（予備も含む）の装置ＩＤ等のＩＤデータを管理するためのＩＤ管理テーブルや、図７（ｂ）に示すように、当該遊技場に設置（予備ストッカ２０に保管されている予備のカードユニット３も含む）されている各カードユニット３を管理するためのユニット管理テーブルや、管理サーバ１４０からの移動許可情報の受信の有無が記憶されている。
【００３９】
この本実施例に用いたＩＤ管理テーブルには、図７（ａ）に示すように、当該システムコントローラ１００が設置された遊技場に固有に付与されることで、各遊技場を個々に識別可能な本発明における遊技場識別情報となる遊技場ＩＤや、相互に予備のカードユニット３が使用可能とされる当該遊技場が所属するグループに固有に付与されることで各グループを個々に識別可能なグループＩＤや、当該遊技場に設置されている全カードユニット（予備も含む）の装置ＩＤが記憶されて管理されている。
【００４０】
つまり、本実施例のＩＤ管理テーブルにおいて、遊技場に設置され、当該遊技場に設けられた特定取引用装置となるカードユニット３および予備特定取引用装置となる予備のカードユニット３の装置ＩＤと、当該遊技場が属するグループのグループＩＤとが管理されており、該ＩＤ管理テーブルによって本発明における識別情報管理手段が形成されている。
【００４１】
また、本実施例に用いたユニット管理テーブルには、図７（ｂ）に示すように、各カードユニット３に付与された装置ＩＤに対応付けて、当該カードユニット３が設置されている遊技島の島番号（予備ストッカの場合には、ストッカを示す００が記憶される）と、その当日における起動情報の受信の有無である本日起動情報受信状況や、対応設置されているパチンコ機２の機種である対応機種や、その時点において受付け中のプリペイドカードのプリペイドカードＩＤである受付けカードＩＤや、その当日において当該カードユニット３において遊技（玉貸処理）に使用された度数の合計である本日総使用度数とが記憶されており、該ユニット管理テーブルにおいて、当該遊技場に設置されている全カードユニット３の装置ＩＤと、その当日における起動情報の受信状況、すなわち接続状態が管理されている。尚、前記本日起動情報受信状況のデータは、営業当日の朝の起動時において、「未受信」にリセットされ、各カードユニット３からの起動要求の受信に基づいて「受信済み」に更新され、本日総使用度数のデータは、営業当日の朝の起動時において「０」にリセットされ、各カードユニット３からの使用通知の受信に基づいて、該受信した使用通知に含まれる使用度数が加算更新される。
【００４２】
つまり、本実施例のユニット管理テーブルの本日起動情報受信状況において、カードユニット３並びに予備のカードユニット３が接続されていない場合には、後述する起動許可判定処理における本日起動情報受信状況の受信済みへの更新が実施されず、該本日起動情報受信状況が未受信となるので、識別情報管理手段となるＩＤ管理テーブルにて装置ＩＤが管理されているカードユニット３並びに予備のカードユニット３との接続状態が認識されるので、該ユニット管理テーブルにより本発明における接続状態認識手段が形成されている。
【００４３】
次いで、本実施例に用いた本発明における店舗外管理装置である管理サーバ１４０の構成について説明すると、管理サーバ１４０は、図８に示すように、コンピュータ内部にてデータの送受を行うデータバス１４１に、該管理サーバ１４０が実施する各遊技場にて使用されるビジターカードに残存する残存度数、ビジターカードの発行金額等の管理を行うための処理や、各遊技場のシステムコントローラ１００に移動許可情報や後述する更新情報を送信する処理や移動元情報や移動先情報に含まれる装置ＩＤを照合して確認する処理等の各種処理を行うＣＰＵ１４２、処理時の一時記憶領域等として使用されるＲＡＭ１４３、後述するグループ設定画面における設定内容を入力するためのキーボードやマウス等の入力装置１４４、磁気ディスクや光磁気ディスクから成る記憶装置１４５、後述するグループ設定画面等を表示出力する表示装置１４６、各遊技場に設置されたシステムコントローラ１００とのデータ通信を行うデジタルサービスユニット（ＤＳＵ）から成る通信部１４８、が接続された比較的処理能力に優れたサーバ用のコンピュータである。
【００４４】
また、記憶装置１４５には、管理サーバ１４０が実施する各種の処理内容が記述された処理プログラムに加えて、各遊技場の遊技場ＩＤに対応付けて、当該遊技場に関する情報（名称や所在地や設置されているシステムコントローラ１００との通信回線番号等）を記憶するための図示しない遊技場情報テーブルや、図９（ａ）に示す各遊技場に設置されているカードユニット３を管理するための遊技場別カードユニットテーブルや、図９（ｂ）に示すカードユニット３を使用可能とする各グループに属する遊技場を管理するためのグループ管理テーブルが記憶されている。
【００４５】
本実施例の遊技場別カードユニットテーブルには、図９（ａ）に示すように、各遊技場を個々に識別可能な遊技場識別情報である遊技場ＩＤに対応付けて、当該遊技場に設置されている全てのカードユニット３（予備のカードユニット３も含む）の装置ＩＤが記憶されて管理されており、どの遊技場にどの装置ＩＤのカードユニット３が設置されているかが、管理サーバ１４０にて一元的に管理されているとともに、各装置ＩＤに対応付けて、当該カードユニット３においてその当日において貸出処理に使用された度数の合計である本日総使用度数が記憶されているとともに、これら同一の遊技場ＩＤに対応付けて記憶されているカードユニット３の本日総使用度数の合計、すなわち、各遊技場のカードユニット３においてその当日において使用された度数の合計である遊技場別合計が記憶されており、これら本日総使用度数や遊技場別合計のデータは、後述するように、営業終了時において各遊技場のシステムコントローラ１００から送信される営業情報により更新される。
【００４６】
また、本実施例のグループ管理テーブルには、図９（ｂ）に示すように、移動されたカードユニット３の使用が許可されることで、カードユニット３が使用可能となる各グループのグループＩＤに対応付けて、当該グループに属する遊技場の遊技場ＩＤが記憶されており、どの遊技場がどのグループに所属しているのかが、管理サーバ１４０にて一元的に管理されている。
【００４７】
つまり、本実施例の遊技場別カードユニットテーブルにおいて、各遊技場（店舗）の遊技場ＩＤに対応付けて当該遊技場ＩＤの遊技場に設けられている特定取引用装置となるカードユニット３および予備特定取引用装置となる予備のカードユニット３の装置ＩＤと該遊技場に設けられているカードユニット３における売上となる本日総使用度数とが記憶（管理）されているとともに、本実施例のグループ管理テーブルにおいて、グループＩＤに対応付けて、当該グループＩＤのグループに属する遊技場を個々に識別可能な店舗識別情報となる遊技場ＩＤが管理されており、該遊技場別カードユニットテーブル並びにグループ管理テーブルによって、本発明における管理手段が形成されている。
【００４８】
これらグループ管理テーブルにて管理されるグループの新規作成や、グループに所属する遊技場の変更（増減）は、所定操作を実施することで、該管理サーバ１４０の表示装置１４６に表示される、図１０に示すグループ設定画面において実施でき、該グループ設定画面にて受付けた変更内容を設定するグループ設定変更処理が管理サーバ１４０（ＣＰＵ１４２）にて実施される。
【００４９】
この本実施例のグループ設定画面には、図１０に示すように、設定対象とするグループを選択するための「設定対象」の項目メニューと、新たにグループを新設する際に選択する「新規グループ」の項目メニューとが画面上部位置に設けられているとともに、画面中央左部には、前記設定対象の項目メニューにおいて選択したグループに現状において所属している遊技場の遊技場名と遊技場ＩＤとが一覧表示される「現状所属遊技場」の表示ウインドウと、画面中央右部には、削除または追加された後の変更後において当該グループに所属している遊技場の遊技場名と遊技場ＩＤが一覧表示される「変更後所属遊技場」の表示ウインドウとが設けられており、これら「現状所属遊技場」の表示ウインドウと「変更後所属遊技場」の表示ウインドウとの間に、所属している遊技場を削除する際に選択する「削除」の選択入力部と、遊技場を追加する際に選択する「追加」の選択入力部とが設けられ、その最下方位置には、「変更後所属遊技場」の表示ウインドウに表示された内容のグループを設定するための「設定」の選択入力部が設けられている。
【００５０】
具体的な例として、既に設定されているグループ、例えば、チェーン店関係にある遊技場からなるグループに、新たに店舗が開店して該開店した新店舗を追加する場合の設定について説明する。尚、この場合、新たに開店した遊技場には既に遊技場ＩＤが割り当てられており、その遊技場に設置されている全カードユニット３の装置ＩＤが入力されて、既に遊技場別カードユニットテーブルに、当該新たに開店した遊技場の遊技場ＩＤに対応付けて登録されているものとする。
【００５１】
まず、該チェーン店のグループのグループＩＤ、例えばグループＩＤが「ＧＮ−００１」であれば、「設定対象」の項目メニューにおいて、前記グループ管理テーブルに登録されている全グループが一覧表示されるポップアップメニューから「ＧＮ−００１」を選択して「設定対象」の項目メニューに「ＧＮ−００１」を表示させる。
【００５２】
この「設定対象」の項目メニューにおける「ＧＮ−００１」の選択により、「現状所属遊技場」の表示ウインドウには、前記グループ管理テーブルに選択されたグループＩＤである「ＧＮ−００１」に対応付けて記憶されている遊技場ＩＤが一覧表示される。
【００５３】
この状況において、遊技場を追加したい場合には、「追加」の選択入力部を選択入力することで、図１０に示すように、遊技場別カードユニットテーブルに登録（記憶）されている遊技場ＩＤの内、グループ管理テーブルに登録（記憶）されていない遊技場名と遊技場ＩＤ、つまりは、いずれのグループにも未所属の遊技場の遊技場名と遊技場ＩＤとが一覧表示されるサブウインドウが表示され、該サブウインドウにおいて追加する新店舗の遊技場を選択することで、該選択した新店舗の遊技場名と遊技場ＩＤとが「変更後所属遊技場」の表示ウインドウに他のチェーン店関係にある遊技場の遊技場名と遊技場ＩＤとに加えて表示される。
【００５４】
このように「変更後所属遊技場」の表示ウインドウに新店舗の遊技場名と遊技場ＩＤとが表示されていることを確認した後、「設定」の選択入力部を選択入力すれば良く、該選択入力により、グループ管理テーブルにおいて選択された「ＧＮ−００１」のグループＩＤに対応する所属遊技場ＩＤに、新店舗の遊技場ＩＤが追加記憶されるグループ設定変更処理がＣＰＵ１４２にて実施される。尚、「削除」の選択入力が選択されて、グループに所属する遊技場が減少したときには、該削除された遊技場の遊技場ＩＤが、選択された「ＧＮ−００１」のグループＩＤに対応する所属遊技場ＩＤの記憶から削除される。
【００５５】
つまり、管理サーバ１４０は、該グループ設定変更処理において、各グループに属する遊技場の少なくとも追加を受付け、本発明における管理手段となるグループ管理テーブルにおいて、該追加された遊技場が属するグループのグループＩＤに対応付けて該追加された遊技場の遊技場ＩＤを記憶して管理しており、該グループ設定変更処理を実施するＣＰＵ１４２により本発明における追加受付け手段が形成されている。
【００５６】
そして、これら変更（追加または削除）された遊技場に設置されているシステムコントローラ１００に対して、図１１に示すように、更新後のグループＩＤである「ＧＮ−００１」のグループＩＤを含む更新情報が送信される。尚、削除された場合には、更新後のグループＩＤとしてグループ設定がなされていないことを示す初期値である「ＧＮ−０００」のグループＩＤを含む更新情報が送信される更新情報送信処理がＣＰＵ１４２にて実施される。
【００５７】
つまり、該更新情報送信処理において、追加された遊技場が属するグループのグループＩＤを含む更新情報が、追加された遊技場のシステムコントローラ１００に送信されており、該更新情報送信処理を実施するＣＰＵ１４２により本発明における更新情報送信手段が形成されている。
【００５８】
このようにして管理サーバ１４０から送信される更新情報を受信したシステムコントローラ１００（ＣＰＵ１０２）は、記憶装置１０５に記憶しているグループＩＤを受信した更新情報に含まれるグループＩＤである「ＧＮ−００１」（削除の場合には「ＧＮ−０００」）に更新した後、当該遊技場に設置されている予備を含む各カードユニット３に対して、受信した更新情報に含まれるグループＩＤ、つまりは記憶装置１０５に更新記憶したグループＩＤを含む更新要求を送信する更新情報送信処理を実施して、予備を含む各カードユニット３に記憶されているグループＩＤを更新させる。
【００５９】
つまり、本実施例の更新情報送信処理においては、管理サーバ１４０から受信した更新情報に含まれるグループＩＤを含む更新要求を当該遊技場に設置されている各カードユニット１００並びに予備の各カードユニット３に送信して、各カードユニット１００並びに予備の各カードユニット３に記憶されているグループＩＤを、該更新要求に含まれるグループＩＤに更新させており、該更新情報送信処理を実施するＣＰＵ１０２により本発明における更新情報送信手段が形成されている。
【００６０】
また、本実施例のシステムコントローラ１００は、更新情報の受信に基づいて、ＩＤ管理テーブルにて記憶（管理）しているグループＩＤを、管理サーバ１４０から受信した更新情報に含まれるグループＩＤに更新している。
【００６１】
この更新要求を受信した予備を含む各カードユニット３の制御ユニット３２８は、受信した更新要求に含まれるグループＩＤである「ＧＮ−００１」（削除の場合には「ＧＮ−０００」）に、記憶部３１０に記憶されているグループＩＤを更新することで、管理サーバ１４０から送信された更新情報に含まれるグループＩＤに、変更対象の遊技場に設置されているシステムコントローラ１００並びにカードユニット３に記憶されているグループＩＤが更新されるようになる。
【００６２】
尚、新たにグループを新設して、該新設されるグループに属する遊技場を設定する場合には、図１０に示すグループ設定画面に設けられている「新規グループ」の項目メニューを選択することで、前記グループ管理テーブルに登録されている全グループのグループＩＤと重複しない未使用のグループＩＤが、新設されるグループに付与するグループＩＤとして特定され、該付与されたグループＩＤが「設定対象」の項目メニューに表示されるとともに、「現状所属遊技場」の表示ウインドウには、新規グループのため何も表示されない、つまり所属する遊技場が存在しないので、該新設したグループに所属させる遊技場を、前述と同様に、「追加」の選択入力部を繰返し選択入力して選択することで、「変更後所属遊技場」の表示ウインドウに、当該新設グループに所属させる遊技場を全て表示させた後、「設定」の選択入力部を選択入力すれば良く、これらの設定により、前述の追加の場合と同様に、該新設されたグループに所属する各遊技場のシステムコントローラ１００に対して該新設されたグループのグループＩＤを含む更新情報が送信され、そして、システムコントローラ１００から予備を含む各カードユニット３に更新要求が送信されることで、新設されたグループに所属する全ての遊技場のシステムコントローラ１００と予備を含む全カードユニット３のグループＩＤが、該新設されたグループのグループＩＤに更新される。
【００６３】
つまり、新規にグループを作成する場合においても、該作成した新規のグループに属する遊技場が存在しない状態から所属させる遊技場を追加することになり、これら新たなグループを作成する場合もグループに遊技場を追加することに含まれる。
【００６４】
以下、本実施例の特定取引用システムにおいて、カードユニット３を移動させる際の処理状況を、図１２〜図１４に基づいて以下に説明する。
【００６５】
具体的な状況として、例えば、前記にてグループＩＤ「ＧＮ−００１」のグループに追加された遊技場ＩＤ「Ｈ００１０１」の新店舗において、カードユニット３に多数の不具合が生じた場合を例に以下に説明すると、該新店舗からカードユニット３の移動の要請を受けた該グループの中枢店舗、例えば「Ｈ００００１」の遊技場において、予備ストッカ２０内のカードユニット３を移動する場合には、図１４に示すように、該中枢店舗である「Ｈ００００１」の遊技場に設置されているシステムコントローラ１００において、所定の移動操作、例えば、「カードユニット移動」のメニューを選択することで、カードユニット３の移動実施の受付けが実施される。
【００６６】
この移動実施の受付けに基づいて移動元となる中枢店舗のシステムコントローラ１００は、当該遊技場の遊技場ＩＤである「Ｈ００００１」と、カードユニット３が移動される旨を示す所定形式の移動実施データとを含む移動発生通知を管理サーバ１４０に対して送信する。
【００６７】
つまりは、本発明における一の店舗となる移動元の遊技場のシステムコントローラ１００は、予備のカードユニット３が移動される旨と当該遊技場の遊技場ＩＤとを含む移動発生通知を管理サーバ１４０に送信する。
【００６８】
この移動発生通知の受信に応じて管理サーバ１４０は、グループ管理テーブルにおいて、移動元となる中枢店舗のシステムコントローラ１００から送信されてきた移動発生通知に含まれる遊技場ＩＤである「Ｈ００００１」に対応付けて記憶されているグループＩＤである「ＧＮ−００１」を特定し、該特定したグループＩＤである「ＧＮ−００１」に対応して記憶されている、受信した遊技場ＩＤ以外のその他の遊技場ＩＤ、すなわち、「Ｈ００００２」、「Ｈ００００５」、「Ｈ００００７」、「Ｈ００００１０」、「Ｈ０００１０１」から特定される、該グループＩＤのグループに属する他の遊技場に設置されているシステムコントローラ１００に対して、移動許可情報を送信する移動許可情報送信処理を実施する。
【００６９】
つまり、該移動許可情報送信処理において、本発明における管理手段となるグループ管理テーブルにより管理しているグループに属する一の店舗となる移動元の遊技場の予備のカードユニット３が該グループに属する他の店舗となる移動先の遊技場に移動されるときに、当該移動先の遊技場を含む他の遊技場の店舗内管理装置となるシステムコントローラ１００に対して移動許可情報を送信しており、該移動許可情報送信処理を実施するＣＰＵ１４２によって本発明における移動許可情報送信手段が形成されている。
【００７０】
また、本実施例の管理サーバ１４０は、本発明における管理手段となるグループ管理テーブルにおいて、送信されてきた移動発生通知に含まれる遊技場ＩＤとともに、該遊技場ＩＤ対応するグループＩＤに対応付けて管理されているその他の遊技場ＩＤの遊技場に設置されているシステムコントローラ１００に対して移動許可情報を送信している。
【００７１】
この移動許可情報を受信したシステムコントローラ１００は、該移動許可情報を受信したことを示す、受信した日付を含む移動許可情報受信履歴を記憶する。尚、本実施例では、これら送信される移動許可情報の有効期限としては、移動許可情報が送信されたその当日と翌日においてのみ有効とされている。
【００７２】
これら移動許可情報が送信される本実施例のシステムコントローラ１００においては、図１２並びに図１３に示すように、その当日における管理サーバ１４０からの移動許可情報の受信の有無により、異なる起動許可判定処理が実施されるようになっている。
【００７３】
具体的には、その当日または前日における管理サーバ１４０からの移動許可情報の受信がない、つまり、本日または前日の日付が移動許可情報受信履歴に含まれていないときには、システムコントローラ１００（ＣＰＵ１０２）は、図１２に示す通常の起動許可判定処理を実施する。
【００７４】
この移動許可情報の受信がない場合の起動許可判定処理においては、図１２に示すように、既に設置されているカードユニット３（不正に移動されてきたカードユニット３も含む）において電源投入がされることにより、該電源投入されたカードユニット３において記憶部３１０に記憶されているグループＩＤと装置ＩＤとを含む起動要求を送信する起動要求送信処理が実施されることで送信される起動要求を受信する。
【００７５】
そしてシステムコントローラ１００（ＣＰＵ１０２）は、このようにしてカードユニット３から受信した起動要求に含まれる装置ＩＤが、ＩＤ管理テーブルに記憶されている装置ＩＤに含まれているか否かを判定する。
【００７６】
この判定において、受信した起動要求に含まれる装置ＩＤがＩＤ管理テーブルに記憶されている装置ＩＤに含まれている場合には、当該カードユニット３における貸出処理を許可すると判定し、当該起動要求の送信元のカードユニット３（制御ユニット３２８）に、当該カードユニット３における貸出処理を許可するための起動許可を返信するとともに、ユニット管理テーブルにおいて、当該受信した起動要求に含まれる装置ＩＤに対応する本日起動情報受信状況を「未受信」から「受信済み」に更新する。
【００７７】
そして、該システムコントローラ１００から起動許可を受信したカードユニット３においては、該起動許可を受信したことを条件として起動処理が実施されて起動した後、プリペイドカードの受付けが可能とされ、本発明における特定取引となる該プリペイドカードを使用した前述の貸出処理が可能とされる。
【００７８】
一方、前記判定において、受信した起動要求に含まれる装置ＩＤがＩＤ管理テーブルに記憶されている装置ＩＤに含まれていない場合には、該装置ＩＤを含むエラーメッセージを表示して起動エラーが発生したことを報知するとともに、当該起動要求の送信元のカードユニット３（制御ユニット３２８）に、起動不可を返信することで、該起動不可を受信したカードユニット３において、動作ランプ３０１が点滅点灯されて、エラーが発生したことが報知される。
【００７９】
このように、移動許可情報の受信がない通常時の起動許可判定処理においては、起動要求に含まれる装置ＩＤがＩＤ管理テーブルに記憶されている装置ＩＤに含まれていることを条件として、起動許可を返信して起動を許可するようになっている。
【００８０】
次に、移動許可情報の受信がある場合、つまり、本日または前日の日付が移動許可情報受信履歴に含まれているときの起動許可判定処理においては、図１３に示すように、既に設置されているカードユニット３並びに移動元の中枢店舗から移動されてきたカードユニット３において電源投入がなされることにより、該電源投入されたカードユニット３において記憶部３１０に記憶されているグループＩＤと装置ＩＤとを含む起動要求を送信する起動要求送信処理が実施されることで送信される起動要求を受信する。
【００８１】
そしてシステムコントローラ１００（ＣＰＵ１０２）は、このようにしてカードユニット３から受信した起動要求に含まれる装置ＩＤが、ＩＤ管理テーブルに記憶されている装置ＩＤに含まれているか否かを判定する。
【００８２】
この判定において、受信した起動要求に含まれる装置ＩＤがＩＤ管理テーブルに記憶されている装置ＩＤに含まれている場合、すなわち、起動したカードユニット３が既に設置されている正規のカードユニット３である場合には、当該カードユニット３における貸出処理を許可すると判定し、当該起動要求の送信元のカードユニット３（制御ユニット３２８）に、当該カードユニット３における貸出処理を許可するための起動許可を返信するとともに、ユニット管理テーブルにおいて、当該受信した起動要求に含まれる装置ＩＤに対応する本日起動情報受信状況を「未受信」から「受信済み」に更新する。
【００８３】
そして、該システムコントローラ１００から起動許可を受信したカードユニット３においては、該起動許可を受信したことを条件として起動処理が実施されて起動した後、プリペイドカードの受付けが可能とされ、本発明における特定取引となる該プリペイドカードを使用した前述の貸出処理が可能とされる。
【００８４】
一方、前記判定において、受信した起動要求に含まれる装置ＩＤがＩＤ管理テーブルに記憶されている装置ＩＤに含まれていない場合にシステムコントローラ１００（ＣＰＵ１０２）は、受信した起動要求に含まれるグループＩＤが、ＩＤ管理テーブルに記憶されている当該遊技場が属するグループのグループＩＤに一致するか否かを判定する。
【００８５】
このグループＩＤによる判定において、受信した起動要求に含まれるグループＩＤがＩＤ管理テーブルに記憶されているグループＩＤと一致する場合、すなわち、起動したカードユニット３がグループ内の他の遊技場から移動されてきた予備のカードユニット３である場合には、当該カードユニット３における貸出処理を許可すると判定し、当該起動要求の送信元のカードユニット３（制御ユニット３２８）に、起動許可を返信するとともに、受信した起動要求に含まれる装置ＩＤをユニット管理テーブルに記憶するとともに、該記憶した装置ＩＤに対応する本日起動情報受信状況に「受信済み」を記憶する。
【００８６】
このようにしてシステムコントローラ１００から起動許可を受信したカードユニット３においては、該起動許可を受信したことを条件として起動処理が実施されて起動した後、プリペイドカードの受付けが可能とされ、本発明における特定取引となる該プリペイドカードを使用した前述の貸出処理が可能とされる。
【００８７】
また、前記のグループＩＤによる判定において、受信した起動要求に含まれるグループＩＤがＩＤ管理テーブルに記憶されているグループＩＤと一致しない場合、すなわち、起動したカードユニット３がすり替えられた可能性のある不正なカードユニット３である可能性が高い場合には、不正なカードユニットが設置された可能性が高い旨のエラーメッセージを表示して起動エラーが発生したことを報知するとともに、当該起動要求の送信元のカードユニット３（制御ユニット３２８）に、起動不可を返信することで、該起動不可を受信したカードユニット３において、動作ランプ３０１が点滅点灯されて、エラーが発生したことが報知される。
【００８８】
つまり、本実施例における起動許可判定処理においては、管理サーバ１４０における移動許可情報送信処理にて移動許可情報を受信していないときには、カードユニット３から受信した起動要求に含まれる装置ＩＤがＩＤ管理テーブルにて記憶（管理）されていることを条件として特定取引処理となる貸出処理を許可すると判定する一方、前記移動許可情報を受信しているときには、カードユニット３から受信した装置ＩＤがＩＤ管理テーブルにて記憶（管理）されていなくても、該カードユニット３から受信した起動要求に含まれるグループＩＤがＩＤ管理テーブルにて記憶（管理）されていることを条件として特定取引処理となる貸出処理を許可すると判定されており、該起動許可判定処理を実施するＣＰＵ１０２により本発明における判定手段が形成されているとともに、該判定において特定取引処理となる貸出処理を許可すると判定されたことに基づいて当該判定の対象となった起動要求の送信元のカードユニット３に対して取引許可情報となる起動許可を送信（返信）しており、該起動許可判定処理を実施するＣＰＵ１０２より本発明における取引許可情報送信手段が形成されている。
【００８９】
次に、予備のカードユニット３が移動された移動元の遊技場のシステムコントローラ１００（ＣＰＵ１０２）において、営業終了時に実施される営業情報送信処理について、図１４に基づき説明すると、営業終了に基づいてシステムコントローラ１００（ＣＰＵ１０２）は、ユニット管理テーブルにおいて本日起動情報受信状況が未受信のカードユニット３の装置ＩＤを全て特定し、該特定した未受信の全カードユニット３の装置ＩＤと、当該遊技場の遊技場ＩＤとグループＩＤとを含む移動元情報とともに、カード管理ＤＢのデータ並びにユニット管理テーブルにおける各装置ＩＤと当該装置ＩＤのカードユニット３における本日総使用度数を含むユニット管理データとを含む営業情報を送信する。つまり、当該移動元の遊技場から移動された予備のカードユニット３の装置ＩＤを、本日起動情報受信状況が未受信となった予備のカードユニット３の装置ＩＤから特定し、該特定した装置ＩＤを含む移動元情報を管理サーバ１４０に送信することで、該移動されたカードユニット３の装置ＩＤを自動的に管理サーバ１４０に通知する。このようにして営業情報に含まれて送信される移動元情報は、管理サーバ１４０において記憶される。
【００９０】
つまり、本発明における一の店舗となる移動元の遊技場のシステムコントローラ１００（ＣＰＵ１０２）は、前記識別情報管理手段となるＩＤ管理テーブルにて管理されている装置ＩＤのうち、接続状態認識手段となるユニット管理テーブルにおいて本日起動情報受信状況が未受信であることにより接続が認識されなくなった予備のカードユニット３の装置ＩＤを特定し、該特定した装置ＩＤを含む移動元情報を管理サーバ１４０に送信する営業情報送信処理を実施しており、該営業情報送信処理を実施するＣＰＵ１０２により本発明における移動元情報送信手段が形成されている。
【００９１】
尚、本実施例では、本日起動情報受信状況に基づいて移動された予備のカードユニット３の装置ＩＤを特定しており、これら本日起動情報受信状況の更新は、予備を含む各カードユニット３が電源投入される営業日の朝等において実施される起動判定処理にて更新されるので、営業時間中に予備のカードユニット３が移動された場合には、当該移動されたカードユニット３の本日起動情報受信状況が未受信になるのは、移動された翌日となるので、移動された翌日の営業終了時において送信される移動元情報により移動された予備のカードユニット３の装置ＩＤが管理サーバ１４０に通知されるようになるが、本発明はこれに限定されるものではなく、これら移動された予備のカードユニット３を把握するために、営業終了時において、予備ストッカ２０内の予備のカードユニット３に対して接続確認情報を送信して、該接続確認情報に対応する応答の有無により、営業終了時の予備のカードユニット３の接続状態を確認して、接続確認が取れない予備のカードユニット３を移動されたカードユニット３として特定し、該特定したカードユニット３の装置ＩＤを含む移動元情報を、該移動が発生した当日の営業情報に含めて送信するようにしても良い。
【００９２】
次に、移動された予備のカードユニット３が設置される移動先の遊技場のシステムコントローラ１００（ＣＰＵ１０２）において、営業終了時に実施される営業情報送信処理について、図１４に基づき説明すると、営業終了に基づいてシステムコントローラ１００（ＣＰＵ１０２）は、ユニット管理テーブルにおいて本日起動情報受信状況が受信済みであるカードユニット３の装置ＩＤのうち、ＩＤ管理テーブルに管理（記憶）されていない装置ＩＤを特定し、該特定した未管理の全カードユニット３の装置ＩＤと、当該遊技場の遊技場ＩＤとグループＩＤとを含む移動先情報とともに、カード管理ＤＢのデータ並びにユニット管理テーブルにおける各装置ＩＤと当該装置ＩＤのカードユニット３における本日総使用度数を含むユニット管理データとを含む営業情報を送信する。つまり、移動元の遊技場から移動されて設置されたカードユニット３の装置ＩＤを、本日起動情報受信状況が受信済みであるカードユニット３の装置ＩＤのうち、ＩＤ管理テーブルに管理（記憶）されていない装置ＩＤから特定し、該特定した装置ＩＤを含む移動先情報を管理サーバ１４０に送信することで、該移動先の遊技場に設置されたカードユニット３の装置ＩＤを自動的に管理サーバ１４０に通知する。このようにして営業情報に含まれて送信される移動先情報は、管理サーバ１４０において記憶される。
【００９３】
つまり、本発明における他の店舗となる移動先の遊技場のシステムコントローラ１００（ＣＰＵ１０２）は、接続状態認識手段となるユニット管理テーブルにおいて本日起動情報受信状況が受信済みであることにより接続が認識されたカードユニット３の装置ＩＤのうち、本発明における識別情報管理手段となるＩＤ管理テーブルにて管理されていない装置ＩＤを特定して、該特定した装置ＩＤを含む移動先情報を管理サーバ１４０に送信する営業情報送信処理を実施しており、該営業情報送信処理を実施するＣＰＵ１０２により本発明における移動先情報送信手段が形成されている。
【００９４】
これら各遊技場から送信される営業情報の受信に基づいて管理サーバ１４０においては、該受信した営業情報に含まれる移動先情報と移動元情報とを受信した日付に対応付けて別個に記憶するとともに、営業情報に含まれる各遊技場のカード管理ＤＢのデータに基づいて、カード管理ＤＢにおける各プリペイドカードの残存度数等のデータを更新するとともに、営業情報に含まれるユニット管理データに基づいて、遊技場別カードユニットテーブルの各カードユニット３の本日総使用度数のデータ、並びに遊技場別合計のデータを更新する。
【００９５】
そして、受信した移動元情報に含まれるグループＩＤと同一のグループＩＤを含む移動先情報を、その移動元情報が対応する受信日付の前日において受信した移動先情報の中から特定し、特定した同じグループＩＤを含む移動先情報と移動元情報に含まれる装置ＩＤが一致するか否かを確認する確認処理を実施する。
【００９６】
つまり、該確認処理において、移動元情報と移動先情報とに含まれる装置ＩＤが一致するか否かが確認されており、該確認処理を実施する管理サーバ１４０のＣＰＵ１４２によって本発明における確認手段が形成されている。
【００９７】
この確認処理において装置ＩＤが一致する場合には、前記遊技場別カードユニットテーブルにおいて、移動元情報に含まれる遊技場ＩＤ、すなわち移動元の遊技場ＩＤに対応する設置装置ＩＤに記憶されている装置ＩＤから当該装置ＩＤを削除するとともに、移動先情報に含まれる遊技場ＩＤ、すなわち移動先の遊技場ＩＤに対応する設置装置ＩＤに当該装置ＩＤを追加記憶して、当該装置ＩＤに対応する遊技場ＩＤを移動元の遊技場ＩＤから移動先の遊技場ＩＤに変更するとともに、該移動先の遊技場ＩＤから特定される移動先の遊技場に設置されているシステムコントローラ１００に対して、該遊技場ＩＤを変更した装置ＩＤを含む変更要求を送信することで、該変更要求に含まれる装置ＩＤがＩＤ管理テーブルに記憶されることで、該装置ＩＤのカードユニット３、すなわち、移動されたカードユニット３が移動許可情報がなくても移動先の遊技場において起動を許可されるようになる。
【００９８】
つまり、本発明における店舗外管理装置となる管理サーバ１４０は、本発明における管理手段となる前記遊技場別カードユニットテーブルにおいて、移動元情報または移動先情報（本実施例では確認処理にて一致が確認されているのでどちらの情報でも良い）に含まれる装置ＩＤに対応する遊技場ＩＤを、本発明における他の店舗となる移動先の遊技場の遊技場ＩＤに変更する。
【００９９】
一方、確認処理において装置ＩＤが一致しない場合には、具体的に、移動先情報と移動元情報に含まれる装置ＩＤが異なる場合には、移動先の遊技場名と遊技場ＩＤとともに当該遊技場に不正なカードユニット３が設置された可能性が高い旨のエラーメッセージを表示して確認エラーが発生したことを報知するとともに、移動先の遊技場のシステムコントローラ１００に対してエラー通知を送信して、該移動先の遊技場のシステムコントローラ１００において、移動されてきたカードユニット３が不正なものである可能性が高い旨のエラーメッセージを表示させてエラーの発生を報知する。
【０１００】
尚、移動先情報に含まれる全ての装置ＩＤが移動元情報に含まれていないことによる不一致の場合には、同一グループの他の遊技場からも移動先の遊技場に予備のカードユニット３が移動された可能性があるので、移動元情報と同日において受信している他の移動元情報において、同一グループＩＤを含むものを全て抽出し、これら抽出した全移動元情報に含まれる装置ＩＤと移動先情報に含まれる全ての装置ＩＤとが一致するか否かを確認する。
【０１０１】
以上、本実施例によれば、同一のグループ内の遊技場間に限って予備のカードユニット３を移動し、該移動した予備のカードユニット３における起動が許可され、起動することで実施可能とされる特定取引処理となる貸出処理が許可されるようになり、しかも、店舗外管理装置となる管理サーバ１４０において、移動元情報と移動先情報とに含まれる装置ＩＤが一致するか否かが確認されるので、不正な改造等がなされたカードユニット３と交換されてしまう危険性が高くなってしまうことを極力回避しつつ、一度に多数のカードユニット３が不具合（故障）となって交換の必要が生じても、交換できる予備のカードユニット３が不足して遊技場（店舗）の売上低下を招くことを極力回避することができる。また、移動された予備のカードユニット３の装置ＩＤの対応付けを更新するために必要となる管理サーバ１４０における入力操作の手間や、移動された予備のカードユニット３の装置ＩＤのシステムコントローラ１００における入力操作の手間を省くこともできる。
【０１０２】
また、本実施例によれば、移動元情報と移動先情報に含まれる移動された予備のカードユニット３の装置ＩＤが一致することが確認されたことに基づいて、遊技場別カードユニットテーブルにおいて当該移動された予備のカードユニット３の装置ＩＤが対応する遊技場ＩＤが、移動元の遊技場ＩＤから移動先の遊技場ＩＤに自動的に変更されるので、移動された予備のカードユニット３の装置ＩＤが対応する遊技場ＩＤを変更するために必要となる管理サーバ１４０における操作の手間を省くことができる。
【０１０３】
また、本実施例によれば、移動元の遊技場のシステムコントローラ１００から管理サーバ１４０に対して移動発生通知が送信されることで、当該移動元の遊技場が属するグループの他の遊技場のシステムコントローラ１００に対して、自動的に移動許可情報が送信されるので、予備のカードユニット３が移動されるグループに属する他の遊技場のシステムコントローラ１００に対して移動許可情報を送信するために必要となる管理サーバ１４０における操作の手間を省くことができる。
【０１０４】
また、本実施例によれば、グループ設定画面において追加された遊技場のシステムコントローラ１００に更新情報が送信されて、当該システムコントローラ１００、各カードユニット３並びに予備の各カードユニット３に記憶されているグループＩＤが、更新情報に含まれている当該遊技場が追加されたグループのグループＩＤに更新されるので、管理サーバ１４０においてグループの変更を簡便且つ迅速に実施でき、追加された新たな遊技場も簡便且つ迅速に予備のカードユニット３の移動の対象にできる。
【０１０５】
また、本実施例によれば、移動される予備のカードユニット３の装置ＩＤを、予め移動先の遊技場のシステムコントローラ１００に入力して、前記ＩＤ管理テーブルに記憶しておくことで、当該移動される予備のカードユニット３を移動先の遊技場において使用可能とする場合に比較して、移動に伴う作業を簡素化することができる。
【０１０６】
以上、本発明の実施例を図面により説明してきたが、具体的な構成はこれら実施例に限られるものではなく、本発明の要旨を逸脱しない範囲における変更や追加があっても本発明に含まれる。
【０１０７】
例えば、前記実施例では、カードユニット３におけるグループＩＤの初期値として「ＧＮ−０００」にグループから削除された遊技場に設置されているシステムコントローラ１００並びに予備を含む各カードユニット３に記憶されているグループＩＤを該初期値に更新するようにしているが、本発明はこれに限定されるものではなく、これらグループから削除された遊技場に設置されているシステムコントローラ１００並びに予備を含む各カードユニット３に記憶されているグループＩＤを消去するようにしても良い。
【０１０８】
また、新規に設定されたグループに追加された遊技場に設置されているシステムコントローラ１００並びに予備を含む各カードユニット３には、これらシステムコントローラ１００並びに予備を含む各カードユニット３に予め記憶されているグループＩＤの初期値である「ＧＮ−０００」が新規に設定されたグループのグループＩＤに更新されるようにしているが、本発明はこれに限定されるものではなく、例えば、前記のように、グループＩＤが消去されている状態であって初期値としてグループＩＤが何も記憶されていない状態に、新たに新規に設定されたグループのグループＩＤを記憶する場合においても、本発明におけるグループ識別情報（グループＩＤ）の更新に含まれる。
【０１０９】
また、前記実施例では、移動発生通知を移動元の遊技場のシステムコントローラ１００から送信することで、移動許可情報が当該移動元の遊技場が所属するグループに属する他の遊技場のシステムコントローラ１００に自動送信されるようになっているが、本発明はこれに限定されるものではなく、これら移動許可情報の送信の要求を、カード管理会社において移動元や移動先の遊技場から電話やファックス等により受付けて、所定の操作を管理サーバ１４０において実施することで、移動許可情報を送信するようにしても良い。
【０１１０】
また、前記実施例では、移動許可情報をグループに属する移動元の遊技場以外の全ての遊技場のシステムコントローラ１００に送信するようにしているが、本発明はこれに限定されるものではなく、これらの送信を、移動に際して移動先の遊技場の遊技場ＩＤ等の移動先の遊技場を特定可能な情報を管理サーバ１４０において受付けて、該移動先の遊技場のシステムコントローラ１００に対してのみ、移動許可情報を送信するようにしても良い。
【０１１１】
また、前記実施例では、移動した予備のカードユニット３の装置ＩＤが移動元の遊技場並びに移動先の遊技場のシステムコントローラ１００において自動的に特定されて、移動元情報並びに移動先情報にて管理サーバ１４０に自動的に通知され、管理サーバ１４０にて遊技場別カードユニットテーブルにて管理されている、当該移動されたカードユニット３の装置ＩＤに対応する遊技場ＩＤが、移動元の遊技場ＩＤから移動先の遊技場ＩＤに自動的に更新されるようになっているが、本発明はこれに限定されるものではなく、これら移動されたカードユニット３の装置ＩＤを、移動元や移動先の遊技場から電話やファックス等により受付けて、該受付けた移動されたカードユニット３の装置ＩＤに対応する遊技場ＩＤを移動元の遊技場ＩＤから移動先の遊技場ＩＤに更新するための操作を管理サーバ１４０において実施するようにしても良い。
【０１１２】
また、前記実施例では、移動されたカードユニット３の装置ＩＤに対応する遊技場ＩＤの遊技場別カードユニットテーブルにおける変更を、移動元情報並びに移動先情報に含まれる装置ＩＤが一致することが確認されたことを条件として実施するようにしているが、本発明はこれに限定されるものではなく、これら装置ＩＤの一致確認に依ることなく、移動元情報或いは移動先情報のうち、時間的に先に管理サーバ１４０が受信したいずれか一方の情報に応じて、移動されたカードユニット３の装置ＩＤを特定し、該特定した移動されたカードユニット３の装置ＩＤが対応する遊技場ＩＤの変更を実施し、その後もう一方の情報を受信したときに、双方の情報（移動元情報並びに移動先情報）に含まれている装置ＩＤが一致するか否かを確認するようにしても良い。
【０１１３】
また、前記実施例では、カードユニット３における特定取引の許可／不許可を、カードユニット３の起動の許可／不許可により実施するようにしているが、本発明はこれに限定されるものではなく、これら起動は許可しても、カードユニット３におけるプリペイドカードの受付けの許可／不許可により特定取引の許可／不許可を実施したり、プリペイドカードを受付けは許可しても、該プリペイドカードの度数の使用の許可／不許可により特定取引の許可／不許可を実施するようにしても良い。
【０１１４】
また、前記実施例では、店舗を遊技場とし、特定取引をパチンコ玉の貸出としているが、本発明はこれに限定されるものではなく、例えば、特定取引をゲームセンターや、デパートや、スーパー等の店舗において、電子マネー等のカードやプリペイドカードを使用して遊技代金や商品代金やサービス代金等の各種代金を決済する取引とし、前記カードやプリペイドカードを受付けてこれらの各種代金を該受付けたカードの電子マネーや残額を使用して決済する取引を実施する端末を特定取引用装置としても良く、ゲームセンターであれば、該ゲームセンター内において使用できる専用のコインを、電子マネーカードやプリペイドカードを用いて貸し出す装置としても良い。
【０１１５】
また、前記実施例では、予備ストッカ２０内の予備のカードユニット３やカードユニット３とシステムコントローラ１００との接続を有線により実施しているが、本発明はこれに限定されるものではなく、これらカードユニット３とシステムコントローラ１００との接続を、電波等を使用して無線によるデータ通信により接続するようにしても良い。
【０１１６】
また、前記実施例では、特定取引用価値の大きさを特定可能な情報としてプリペイドカードにカードＩＤと残存度数の双方を記録しているが、本発明はこれに限定されるものではなく、これらカードＩＤと残存度数のいずれか一方のみをプリペイドカードに記録するようにしても良い。
【０１１７】
また、前記実施例では、遊技機をパチンコ機としているが、本発明はこれに限定されるものではなく、これら遊技機をスロットマシンや、コンピュータによる生成画像にて形成された画像上のパチンコ機において遊技を行う画像式パチンコ機であっても良く、この場合には、スロットマシンにおいて使用されるメダルの貸出や、画像式パチンコ機で使用されるポイントの付与が本発明における特定取引となる。
【０１１８】
また、前記実施例では、営業終了後に営業情報に含まれる形態にて移動元情報や移動先情報を管理サーバ１４０に送信するようにしているが、本発明はこれに限定されるものではなく、これらて移動元情報や移動先情報を、システムコントローラ１００が移動されたカードユニット３を確認できた時点において、営業情報とは個別に管理サーバ１４０に送信するようにしても良い。
【０１１９】
また、前記実施例では、営業終了後に営業情報に含まれる形態にて移動元情報を管理サーバ１４０に送信するようにしているが、本発明はこれに限定されるものではなく、営業開始前にカードユニット３の接続状態を確認し、接続が確認できないカードユニット３を特定して、該特定した接続が確認できないカードユニット３の装置ＩＤを含む移動元情報を管理サーバ１４０に送信するようにしても良い。この場合、移動元情報が本発明における移動発生通知を兼ねることとなり、該移動元情報の受信に基づいて、管理サーバ１４０は移動許可情報を、当該移動元情報の送信元の遊技場が属するグループの他の遊技場のシステムコントローラ１００に対して送信する。そして、移動先の遊技場においても、営業開始前に移動されて新たに設置されたカードユニット３を、接続が確認されたカードユニット３の装置ＩＤのうち、ＩＤ管理テーブルに管理（記憶）されていない装置ＩＤから特定して、該特定した装置ＩＤを含む移動先情報を管理サーバ１４０に送信することで、該管理サーバ１４０にて、該移動先情報と移動元情報に含まれる装置ＩＤが一致するか否かを確認し、一致することを条件に、遊技場別カードユニットテーブルにて該一致した装置ＩＤに対応して記憶されている遊技場ＩＤを、移動先情報に含まれる移動先の遊技場ＩＤに変更するようにしても良い。
【０１２０】
また、予備のカードユニット３の移動を、営業終了時の締め処理後の営業終了後において実施する場合に対応するために、システムコントローラ１００が、予備のカードユニット３の接続状態を営業終了後においても継続して確認し続けるようにしておき、接続が確認できなくなったときに、当該接続が確認できなくなったカードユニット３の装置ＩＤを含む移動元情報を管理サーバ１４０に送信するようにしても良く、この場合にも、該移動元情報が移動発生通知を兼ねることとなる。
【０１２１】
前記実施例における各要素は、本発明に対して以下のように対応している。
本発明の請求項１は、店舗（遊技場）に設けられ、特定取引（パチンコ玉の貸出）に使用可能な特定取引用価値（度数）を該特定取引に使用させるための特定取引処理（貸出処理）を行う装置であって、該装置を個々に識別可能な装置識別情報（装置ＩＤ）と当該店舗が属するグループを個々に識別可能なグループ識別情報（グループＩＤ）とが記憶されるとともに、外部（システムコントローラ１００）と通信可能に接続された特定取引用装置（カードユニット３）と、該店舗に予備として設けられる前記特定取引用装置であって、外部（システムコントローラ１００）と通信可能に接続された予備特定取引用装置（予備ストッカ２０内の予備のカードユニット３）と、店舗に設置され、当該店舗に設けられた前記特定取引用装置および前記予備特定取引用装置の装置識別情報と、当該店舗が属するグループのグループ識別情報とを管理する識別情報管理手段（記憶装置１０５；ＩＤ管理テーブル）と、該識別情報管理手段により装置識別情報が管理されている特定取引用装置および予備特定取引用装置との接続状態を認識する接続状態認識手段（記憶装置１０５；ユニット管理テーブル）と、を有する店舗内管理装置（システムコントローラ１００）と、複数店舗の前記店舗内管理装置と通信可能とされ、前記グループ識別情報に対応付けて当該グループ識別情報のグループに属する店舗を個々に識別可能な店舗識別情報（遊技場ＩＤ）を管理するとともに、該店舗識別情報に対応付けて当該店舗識別情報の店舗に設けられている前記特定取引用装置および前記予備特定取引用装置の装置識別情報と該店舗に設けられている前記特定取引用装置における売上を管理する管理手段（記憶装置１４５；グループ管理テーブル、遊技場別カードユニットテーブル）と、該管理手段により管理しているグループに属する一の店舗（移動元の遊技場）の予備特定取引用装置が該グループに属する他の店舗（移動先の遊技場）に移動されるときに、当該他の店舗の店舗内管理装置に対して移動許可情報を送信する移動許可情報送信手段（ＣＰＵ１４２；移動許可情報送信処理）とを有する店舗外管理装置（管理サーバ１４０）と、を備え、前記店舗内管理装置は、前記移動許可情報送信手段から移動許可情報を受信していないときには、前記特定取引用装置から受信した装置識別情報が前記識別情報管理手段にて管理されていることを条件として前記特定取引処理を許可すると判定する一方、前記移動許可情報を受信しているときには、前記特定取引用装置から受信した装置識別情報が前記識別情報管理手段にて管理されていなくても、該特定取引用装置から受信したグループ識別情報が前記識別情報管理手段にて管理されていることを条件として前記特定取引処理を許可すると判定する判定手段（ＣＰＵ１０２；起動許可判定処理）と、該判定手段により前記特定取引処理を許可すると判定されたことに基づいて当該判定の対象となった特定取引用装置に対して取引許可情報を送信する取引許可情報送信手段（ＣＰＵ１０２；起動許可判定処理）とを有し、前記特定取引用装置は、前記取引許可情報を受信したことを条件として前記特定取引処理を行い、前記一の店舗の店舗内管理装置は、前記識別情報管理手段にて管理されている装置識別情報のうち、前記接続状態認識手段により接続が認識されなくなった予備特定取引用装置の装置識別情報を特定し、該特定した装置識別情報を含む移動元情報を前記店舗外管理装置に送信する移動元情報送信手段（ＣＰＵ１０２；営業情報送信処理）を有し、前記他の店舗の店舗内管理装置は、前記接続状態認識手段により接続が認識された特定取引用装置の装置識別情報のうち、前記識別情報管理手段にて管理されていない装置識別情報を特定して、該特定した装置識別情報を含む移動先情報を前記店舗外管理装置に送信する移動先情報送信手段（ＣＰＵ１０２；営業情報送信処理）を有し、前記店舗外管理装置は、前記移動元情報と前記移動先情報とに含まれる装置識別情報が一致するか否かを確認する確認手段（ＣＰＵ１４２；確認処理）を有する。
【０１２２】
本発明の請求項２は、前記店舗外管理装置（管理サーバ１４０）は、前記管理手段（記憶装置１４５；遊技場別カードユニットテーブル）において、前記移動元情報または前記移動先情報に含まれる装置識別情報（装置ＩＤ）に対応する店舗識別情報（遊技場ＩＤ）を、前記他の店舗（移動先の遊技場）の店舗識別情報に変更する。
【０１２３】
本発明の請求項３は、前記一の店舗（移動元）の店舗内管理装置（システムコントローラ１００）は、前記予備特定取引用装置（予備のカードユニット３）が移動される旨と当該店舗の店舗識別情報とを含む移動発生通知を前記店舗外管理装置（管理サーバ１４０）に送信し、前記店舗外管理装置は、前記管理手段（記憶装置１４５；グループ管理テーブル）において、送信されてきた前記移動発生通知に含まれる店舗識別情報とともに、該店舗識別情報が対応するグループ識別情報に対応付けて管理されているその他の店舗識別情報の店舗に設置されている店舗内管理装置に対して前記移動許可情報を送信する。
【０１２４】
本発明の請求項４は、前記店舗外管理装置（管理サーバ１４０）は、各グループに属する店舗（遊技場）の少なくとも追加を受付ける追加受付け手段（ＣＰＵ１４２；グループ設定変更処理）と、該追加受付け手段にて追加された店舗の前記店舗内管理装置（システムコントローラ１００）に対して、該追加された店舗が属するグループのグループ識別情報（グループＩＤ）を含む更新情報を送信する更新情報送信手段（ＣＰＵ１４２；更新情報送信処理）とを有するとともに、前記管理手段（記憶装置１４５；グループ管理テーブル）において該追加された店舗が属するグループのグループ識別情報に対応付けて該追加された店舗の店舗識別情報を管理し、前記店舗内管理装置は、受信した前記更新情報に含まれるグループ識別情報を含む更新要求を当該店舗に設置されている各特定取引用装置（カードユニット３）並びに各予備特定取引用装置（予備のカードユニット３）に送信して、各特定取引用装置並びに各予備特定取引用装置に記憶されているグループ識別情報を、該更新要求に含まれるグループ識別情報に更新させる更新情報送信手段（ＣＰＵ１０２；更新情報送信処理）を有するとともに、前記識別情報管理手段（記憶装置；ＩＤ管理テーブル）にて管理しているグループ識別情報を受信した前記更新情報に含まれるグループ識別情報に更新する。
【図面の簡単な説明】
【０１２５】
【図１】本発明の実施例における特定取引用システムの構成を示すシステム図である。
【図２】本発明の実施例に用いた遊技島並びに予備ストッカを示す図である。
【図３】本発明の実施例に用いたカードユニットを示す図である。
【図４】本発明の実施例に用いた予備ストッカを示す図である。
【図５】本発明の実施例に用いたカードユニットの構成を示す図である。
【図６】本発明の実施例に用いたシステムコントローラの構成を示す図である。
【図７】（ａ）は、本発明の実施例に用いたＩＤ管理テーブルを示す図であり、（ｂ）は、本発明の実施例に用いたユニット管理テーブルを示す図である。
【図８】本発明の実施例に用いた管理サーバの構成を示す図である。
【図９】（ａ）は、本発明の実施例に用いた遊技場別カードユニットテーブルを示す図であり、（ｂ）は、本発明の実施例に用いたグループ管理テーブルを示す図である。
【図１０】本発明の実施例に用いた管理サーバにおけるグループ設定画面を示す図である。
【図１１】本発明の実施例の特定取引用システムにおける処理状況を示す説明図である。
【図１２】本発明の実施例の特定取引用システムにおける処理状況を示す説明図である。
【図１３】本発明の実施例の特定取引用システムにおける処理状況を示す説明図である。
【図１４】本発明の実施例の特定取引用システムにおける処理状況を示す説明図である。
【符号の説明】
【０１２６】
１      遊技島
２      パチンコ機
３      カードユニット
１５    返却ボタンスイッチ
１６    貸出ボタンスイッチ
１７    度数表示器
１８    操作基板
２０    予備ストッカ
３７    プリペイドカード
１００  システムコントローラ
１０５  記憶装置
１４０  管理サーバ
１４５  記憶装置
１４６  表示装置
１４８  通信部
２３７  賞球制御基板
３０３  カード挿入口
３１０  記憶部
３１２  通信部
３２７  カードリーダライタ
３２８  制御ユニット
【図１】
2006247038.tif 000003
【図２】
2006247038.tif 000004
【図３】
2006247038.tif 000005
【図４】
2006247038.tif 000006
【図５】
2006247038.tif 000007
【図６】
2006247038.tif 000008
【図７】
2006247038.tif 000009
【図８】
2006247038.tif 000010
【図９】
2006247038.tif 000011
【図１０】
2006247038.tif 000012
【図１１】
2006247038.tif 000013
【図１２】
2006247038.tif 000014
【図１３】
2006247038.tif 000015
【図１４】
2006247038.tif 000016